(57)【要約】【課題】一体型ゴム栓の装着時における外周からの押圧力によって貫通穴のピッチずれが生じるのを防止する。【解決手段】本体ハウジング１２の空洞部１２ｄ内に装着される一体型ゴム栓１４に、端子収容室１２ａと連通する貫通穴１４ｂを設け、かつ、一体型ゴム栓１４の外周面にリブ１４ａを設ける。そして、一体型ゴム栓１４の挿入側端面には最外周に位置する貫通穴１４ｂと外周面との間に切込溝１４ｃを設け、一体型ゴム栓１４のリブ１４ａが空洞部１２ｄの周壁１２ｃに圧接されることで、一体型ゴム栓１４の挿入側先端に付加される押圧力を切込溝１４ｃで吸収して、一体型ゴム栓１４の貫通穴１４ｂを端子収容室１２ａとピッチずれなく直線状に貫通させるようにしている。【選択図】  図１
2004158316.tif 000002
【特許請求の範囲】
【請求項１】
複数の端子収容室の背面側に周壁に囲まれた空洞部を設けた本体ハウジングと、該本体ハウジングの空洞部の周壁に外嵌して上記空洞部を閉鎖するリヤホルダーと、該リヤホルダーの内面側に突設されて上記空洞部内に押し込まれる一体型ゴム栓とを備え、
上記リヤホルダーおよび一体型ゴム栓に上記端子収容室と連通する貫通穴を設け、かつ、上記一体型ゴム栓の外周面にリブを設けている一方、一体型ゴム栓の挿入側端面には最外周に位置する上記貫通穴と外周面との間に切込溝を設け、
上記一体型ゴム栓のリブが上記空洞部の周壁に圧接されることで、該一体型ゴム栓の挿入側先端に付加される押圧力を上記切込溝で吸収して、一体型ゴム栓の貫通穴を端子収容室とピッチずれなく直線状に貫通させていることを特徴とする防水コネクタ。
【請求項２】
上記切込溝は一体型ゴム栓に環状に設けている請求項１に記載の防水コネクタ。
【請求項３】
上記本体ハウジングの空洞部にインナーハウジングを収容すると共に、該インナーハウジングに設けた貫通穴を上記本体ハウジングの端子収容室および上記一体型ゴム栓とリヤホルダーの貫通穴とに直線状に連通させている請求項１または請求項２に記載の防水コネクタ。
【請求項４】
電線端末に接続した端子金具を上記リヤホルダー、一体型ゴム栓およびインナーハウジングの貫通穴を通し、上記インナーハウジングの貫通穴に設けた係止部で上記端子金具の被係止部を係止し、該端子金具の先端部を本体ハウジングの端子収容室に収容している請求項３に記載の防水コネクタ。
【請求項５】
上記一体型ゴム栓は弾性を有するエラストマーで成形すると共に上記リヤホルダーを剛性を有する合成樹脂で成形し、該リヤホルダーと上記一体型ゴム栓とは弾性樹脂と合成樹脂とを二色成形することで一体的に設けている請求項１乃至請求項４のいずれか１項に記載の防水コネクタ。
【発明の詳細な説明】
【０００１】
【発明の属する技術分野】
本発明は防水コネクタに関し、詳しくは、一体型ゴム栓の変形によって貫通穴と端子収容室との間にピッチずれが生じるのを防止するものである。
【０００２】
【従来の技術】
一般に、防水コネクタとして複数の電線挿通経路を一括して防水するために、一体型ゴム栓を使用したものが知られている（特許文献１）。このような防水コネクタ１は、図６（Ａ）に示すように、複数の端子収容室２ａが形成されたコネクタハウジング２の背面側に、周壁２ｂに囲まれた空洞部２ｃを備えている。そして、この空洞部２ｃの内面には、弾性的に密着可能なリブ３ａが外周に周設された一体型ゴム栓３が装着されている。一体型ゴム栓３は、各端子収容室２ａの配置に対応した貫通穴３ｂが設けられ、この貫通穴３ｂを通して電線Ｗの端末に取り付けられた端子金具Ｔを各端子収容室２ａ内に挿入すると共に、貫通穴３ｂの内周部を電線Ｗ外周に弾性的に密着させることで、電線Ｗとの間の防水を図るようにしている。更に、周壁２ｂの後端面には、空洞部２ｃに装着された一体型ゴム栓３を保持するためのリヤホルダー４が装着されている。
【０００３】
【特許文献１】
特開平９−１７５０７号公報
【０００４】
【発明が解決しようとする課題】
上記の一体型ゴム栓３を用いる防水コネクタ１においては、図６（Ｂ）に示すように、一体型ゴム栓３をコネクタハウジング２の空洞部２ｃ内に挿入したとき、一体型ゴム栓３が空洞部２ｃの内壁部によって縮径方向に押圧された状態となる。この押圧作用により、特に外周近くの貫通穴３ｂが内方へピッチずれした状態となるため、貫通穴３ｂの中心軸と端子収容室２ａの中心軸にズレが生じる可能性がある。このような位置ズレが生じると、貫通穴３ｂを通して端子収容室２ａ内に端子金具Ｔを挿入する場合、端子金具Ｔの先端部が端子収容室２ａの入り口の隔壁部に当接して変形等を生じるおそれがあった。
【０００５】
本発明は、上記した問題に鑑みてなされたものであり、一体型ゴム栓の装着に伴ってこの一体型ゴム栓に縮径方向の押圧力が作用した場合においても、端子収容室に対する貫通穴の中心軸のピッチずれを最小限に止めることができるようにすることを課題としている。
【０００６】
【課題を解決するための手段】
上記課題を解決するために、本発明は、複数の端子収容室の背面側に周壁に囲まれた空洞部を設けた本体ハウジングと、該本体ハウジングの空洞部の周壁に外嵌して上記空洞部を閉鎖するリヤホルダーと、該リヤホルダーの内面側に突設されて上記空洞部内に押し込まれる一体型ゴム栓とを備え、
上記リヤホルダーおよび一体型ゴム栓に上記端子収容室と連通する貫通穴を設け、かつ、上記一体型ゴム栓の外周面にリブを設けている一方、一体型ゴム栓の挿入側端面には最外周に位置する上記貫通穴と外周面との間に切込溝を設け、
上記一体型ゴム栓のリブが上記空洞部の周壁に圧接されることで、該一体型ゴム栓の挿入側先端に付加される押圧力を上記切込溝で吸収して、一体型ゴム栓の貫通穴を端子収容室とピッチずれなく直線状に貫通させていることを特徴とする防水コネクタを提供している。
【０００７】
上記構成によれば、一体型ゴム栓が本体ハウジングの空洞部に押し込まれることによって縮径方向の押圧力を受けた場合、一体型ゴム栓の挿入先端面に設けた切込溝の溝幅が縮まることによって、その押圧力を吸収することができる。このため、切込溝の内側に配置された貫通穴に対する上記押圧力の影響を最小限に止めることができ、よって端子収容室との間にピッチずれが生じるのを防止することができる。
【０００８】
上記切込溝は一体型ゴム栓に環状に設けるのが好ましい。このようにすれば、一体ゴム栓の挿入先端における外周に近接する位置に配された各貫通穴に対する押圧力の影響を均等に軽減することができる。また、空洞部の内周面に密着するリブの圧接力に偏りが生じるのを防止できる。
【０００９】
また、上記本体ハウジングの空洞部にインナーハウジングを収容すると共に、該インナーハウジングに設けた貫通穴を上記本体ハウジングの端子収容室および上記一体型ゴム栓とリヤホルダーの貫通穴とに直線状に連通させるようにしてもよい。成型上の都合等によりコネクタハウジングを本体ハウジングとインナーハウジングに分割構成したコネクタにおいては、インナーハウジングに設けた貫通穴を通して端子金具を本体ハウジングの端子収容室へ導入することとなる。このような場合においても、インナーハウジングの貫通穴が端子収容室および上記一体型ゴム栓とリヤホルダーの貫通穴とに直線状に連通しているので、端子金具の挿入操作を円滑に行うことができる。
【００１０】
更に、電線端末に接続した端子金具を上記リヤホルダー、一体型ゴム栓およびインナーハウジングの貫通穴を通し、上記インナーハウジングの貫通穴に設けた係止部で上記端子金具の被係止部を係止し、該端子金具の先端部を本体ハウジングの端子収容室に収容している。上記のように一体型ゴム栓は、切込溝によって端子収容室との間のピッチずれが解消されることにより、リヤホルダーを装着した状態で端子金具をリヤホルダーの貫通穴から、一体型ゴム栓およびインナーハウジングを通して本体ハウジングの端子収容室に作業性よく挿入することができる。そして端子金具は、インナーハウジングに設けた係止部により確実に係止保持することができる。
【００１１】
また、上記一体型ゴム栓は弾性を有するエラストマーで成形すると共に上記リヤホルダーを剛性を有する合成樹脂で成形し、該リヤホルダーと上記一体型ゴム栓とは弾性樹脂と合成樹脂とを二色成形することで一体的に設けるようにするのが好ましい。このようにすれば、一体型ゴム栓の成形時にリヤホルダーと一体化されるので、組立ての手間を軽減できると共に、これらに形成される貫通穴のピッチずれを防止でき、リヤホルダーを通しての端子金具の挿入初期段階から端子金具の正規の挿入軌道を確保することができる。
なお、リヤホルダーの内面に突設すべき一体型ゴム栓は、二色成形の他に、別個に成形したものを接着したり、凹凸嵌合することで一体化するようにしてもよい。
【００１２】
【発明の実施の形態】
以下、本発明の実施形態を図面を参照して説明する。
本発明の防水コネクタ１０は、図１に示すように、合成樹脂製の本体ハウジング１２およびインナーハウジング１３との２体構造からなるハウジング１１と、複数の電線Ｗを一括して挿通可能な一体型ゴム栓１４と、本体ハウジング１２の背面側に装着されるリヤホルダー１５と、電線Ｗの端末に取り付けられて本体ハウジング１２内に収容される端子金具Ｔとからなっている。
【００１３】
本体ハウジング１２は、前後方向に貫通して複数段、複数列にわたって設けた端子収容室１２ａを備え、前面側には相手側コネクタ（図示せず）の雄タブを受け入れるために前面に開放したタブ挿入口１２ｂを備えている。本体ハウジング１２の背面側には、周壁１２ｃを後方へ一体的に延出して、その周壁１２ｃに囲まれた空洞部１２ｄを形成し、この空洞部１２ｄをインナーハウジング１３および一体型ゴム栓１４の収容部としている。空洞部１２ｄは本体ハウジング１２に形成された複数の各端子収容室１２ａの後部に連通している。
【００１４】
インナーハウジング１３は空洞部１２ｄの奥部分に内嵌され、内嵌状態において空洞部１２ｄの後部に一体型ゴム栓１４を装着可能なスペースを残している。このインナーハウジング１３には、本体ハウジング１２の各端子収容室１２ａと連通する貫通穴１３ａが形成され、貫通穴１３ａの内面部には端子金具Ｔの被係止部Ｔａと係合して端子金具Ｔを抜け止め保持するための係止部１３ｂを形成している。図５においては、係止部１３ｂとして端子金具Ｔの挿入方向に向かって方持ち梁状に突出するランスと、被係止部Ｔａとして端子金具Ｔの接続部後端の顎部として示したが、端子金具Ｔを抜け止め保持できれば、係止突起と係止孔、凹部と凸部等の適宜係止手段を採用可能である。
【００１５】
一体型ゴム栓１４は図２（Ａ）（Ｂ）に示すように、弾性を有するエラストマーにより空洞部１２ｄに対応して方形板状に形成されている。一体型ゴム栓１４の外周には外方へ突出する複数本の環状のリブ１４ａが一体的に周設され、図３に示すように、空洞部１２ｄ内に一体型ゴム栓１４を挿入したときリブ１４ａが空洞部１２ｄの周壁１２ｃ内周に弾性的に圧接されるようになっている。また、一体型ゴム栓１４には各端子収容室１２ａに連通するように、各端子収容室１２ａおよびインナーハウジング１３の貫通穴１３ａの配置に対応して、前後方向に貫通する複数の貫通穴１４ｂを形成している。この貫通穴１４ｂの内径は、電線Ｗの外周に対し弾性的に密着可能な径とされ、内周面を凹凸が連続する形状としている。
更に、一体型ゴム栓１４の挿入側端面には、最外周に位置する貫通穴１４ｂと外周面との間において一体型ゴム栓１４の背面側に向かって切り込まれた切込溝１４ｃを形成している。切込溝１４ｃは断面略Ｖ字状の先細り形状とし、最外周の貫通穴１４ｂを取り囲むようにして環状に設けている。この切込溝１４ｃによって一体型ゴム栓１４の挿入側端面は、最外周の貫通穴１４ｂと、リブ１４ａが形成された外周面とが分断され、環状のリブ１４ａが縮径する方向に押圧されたとき、その押圧力を切込溝１４ｃによって吸収可能としている。
【００１６】
リヤホルダー１５は、図１、図２（Ａ）（Ｂ）に示すように、本体ハウジング１２と同様に合成樹脂にて形成され、本体ハウジング１２の空洞部１２ｄを閉鎖するように周壁１２ｃの背面部に外嵌可能なキャップ状とされている。リヤホルダー１５の外周部１５ａと本体ハウジング１２の周壁１２ｃには、図３に示すように、凹凸係合するロック部１６を設けて、リヤホルダー１５を周壁１２ｃに係止固定可能としている。また、リヤホルダー１５の基部１５ｂには一体型ゴム栓１４の各貫通穴１４ｂに対応して、端子金具Ｔを挿通可能な貫通穴１５ｃを形成している。
【００１７】
本実施形態においては、弾性樹脂からなる一体型ゴム栓１４と、剛性を有する合成樹脂からなるリヤホルダー１５とを互いの貫通穴１４ｂ、１５ｃを連通させた状態で二色成形により一体化している。これにより、一体型ゴム栓１４の背面側はリヤホルダー１５の基部１５ｂ内面に密着一体化しているので、一体型ゴム栓１４を空洞部１２ｄ内に挿入して外周のリブ１４ａが内方へ押圧されても貫通穴１４ｂがピッチずれすることはない。
【００１８】
また、本体ハウジング１２には、図５に示すように、端子収容室１２ａ内に挿入された端子金具Ｔからリヤホルダー１５を通して外部へ導出される電線Ｗを保護すると共に、電線Ｗを横出し方向に案内するためのコネクタカバー１７を装着可能としている。
【００１９】
次に、上記構成からなる防水コネクタ１０の作用について説明する。
図３に示すように、本体ハウジング１２の空洞部１２ｄ内にインナーハウジング１３を挿入して、貫通穴１３ａを端子収容室１２ａに連通する状態とする。次いで、リヤホルダー１５に一体化された一体型ゴム栓１４を空洞部１２ｄ内に挿入することで外周のリブ１４ａを周壁１２ｃの内周に圧接させて、空洞部１２ｄとの間の水密性を確保する。このとき、一体型ゴム栓１４のリブ１４ａが周壁１２ｃの内周面から縮径方向に押圧されるため、これに伴って特に外周付近に位置する貫通穴１４ｂがこの押圧力の影響でピッチずれする状況となっている。しかしながら、一体型ゴム栓１４における挿入側端面には切込溝１４ｃが形成されているため、図４（Ａ）（Ｂ）に示すように、リブ１４ａが縮径方向の押圧力を受けても、この切込溝１４ｃの間隔が縮まることによってその押圧力を吸収することができる。よって、外周付近に位置する貫通穴１４ｂへの影響は殆どなく、ピッチずれが生じるのを防止できる。
【００２０】
一方、一体型ゴム栓１４の基部側においては、リヤホルダー１５と一体成形されているため、リブ１４ａの縮径に伴う押圧力の影響によって貫通穴１４ｂのピッチずれを生じることはない。このようにして、空洞部１２ｄ内への一体型ゴム栓１４の挿入が完了すると同時に、リヤホルダー１５の外周部１５ａが周壁１２ｃに外嵌され、ロック部１６によって係止保持される。これにより、リヤホルダー１５から端子収容室１２ａへ至るまで、貫通穴１５ｃ、１４ｂ、１３ａを介して端子金具Ｔの挿入経路が直線状に連通した状態となる。
【００２１】
次いで、図５に示すように、リヤホルダー１５の貫通穴１５ｃから電線Ｗ端末の端子金具Ｔを挿入する。すると、端子金具Ｔは一体型ゴム栓１４の貫通穴１４ｂを拡開しながら挿入されインナーハウジング１３の貫通穴１３ａを通過して端子収容室１２ａ内へ挿入される。端子金具Ｔの挿入操作に際しては、端子収容室１２ａに至る各貫通穴１３ａ、１４ｂ、１５ｃがピッチずれすることなく直線状に連通しているので、端子金具Ｔの挿入操作を円滑に行うことができる。そして、定位置まで挿入されたとき、インナーハウジング１３の係止部１３ｂが端子金具Ｔの被係止部Ｔａに係合することで端子金具Ｔは抜け止め状態に保持される一方、電線Ｗは貫通穴１４ｂの縮径方向の弾圧力によって水密状態で保持される。更に、必要に応じて本体ハウジング１２から導出される電線Ｗを保護すると共に、電線Ｗの引き出し方向を横方向へ案内するためのコネクタカバー１７を背面側から被せて固定することもできる。
【００２２】
なお、上記実施形態においては、ハウジング１１を本体ハウジング１２とインナーハウジング１３の２体構造にした例を示したが、両者一体のハウジングにも同様に適用可能である。また、一体型ゴム栓１４の挿入端面に形成した切込溝１４ｃを連続した環状に形成した例を示したが、断続的な切込溝１４ｃであってもよい。更に、一体型ゴム栓１４とリヤホルダー１５を二色成形により一体化した例を示したが、接着、凹凸嵌合により一体化してもよい。また、端子金具Ｔとして雌端子を用いた雌コネクタの例を示したが、雄端子を用いた雄コネクタにも同様に適用することができる。
【００２３】
【発明の効果】
以上の説明より明らかなように本発明では、一体型ゴム栓の挿入側端面において最外周に位置する貫通穴と外周面との間に切込溝を設けたので、本体ハウジングの空洞部内に一体型ゴム栓を挿入したときに一体型ゴム栓の外周が受ける押圧力を吸収することができる。よって、一体型ゴム栓の貫通穴の配列にピッチずれを生じることがなく、一体型ゴム栓を通しての端子収容室内への端子金具の挿入作業を円滑に行うことができる。
【図面の簡単な説明】
【図１】本発明の防水コネクタの実施形態の分解断面図である。
【図２】（Ａ）は一体型ゴム栓とリヤホルダーの正面図、（Ｂ）はＸ−Ｘ断面図である。
【図３】本体ハウジング、インナーハウジング、一体型ゴム栓およびリヤホルダーの組み付け状態の断面図である。
【図４】（Ａ）は一体型ゴム栓を本体ハウジングの空洞部へ挿入する途中段階の要部断面図、（Ｂ）は完全挿入状態の要部断面図である。
【図５】端子収容室へ端子金具を挿入した状態の断面図である。
【図６】（Ａ）は従来例の断面図、（Ｂ）は従来例の問題点の概略断面図である。
【符号の説明】
Ｔ  端子金具
Ｔａ  被係止部
Ｗ  電線
１０  防水コネクタ
１２  本体ハウジング
１２ａ  端子収容室
１２ｃ  周壁
１２ｄ  空洞部
１３  インナーハウジング
１３ａ  貫通穴
１３ｂ  係止部
１４  一体型ゴム栓
１４ａ  リブ
１４ｂ  貫通穴
１４ｃ  切込溝
１５  リヤホルダー
１５ｃ  貫通穴
【図１】
2004158316.tif 000003
【図２】
2004158316.tif 000004
【図３】
2004158316.tif 000005
【図４】
2004158316.tif 000006
【図５】
2004158316.tif 000007
【図６】
2004158316.tif 000008